(57)【要約】【課題】  作業台で洗い物等の長時間のたち仕事をする時、下半身が疲れないために立ちながら座れる、立ち仕事用引っかけ椅子を提供する。【解決手段】  先端を作業台に引っ掛け部を設けた支持柱と、台座柱を４本の連結板で連結する手段を設け、台座柱の上部には座面が左右に回動する手段と、椅子座面の高さ調節手段を設け、椅子の座面にまたがり立ちながら尻部を乗せられるようにした、立ち仕事用引っかけ椅子。【選択図】図１
2019063456.tif 000002
【特許請求の範囲】
【請求項１】
椅子を作業台に引っ掛ける構造で、引っ掛け部が支持柱の先端に垂直に付帯し、かつ直角方向に曲がって作業台に引っ掛けてあり、作業台に身体を近づけて作業をする構造で、支持柱の下部に作業台の保護用に長方形板が９０度横に付いているので、身体が引っ掛け椅子から離れても椅子を自立させることが可能で、引っ掛け部を作業台に引っ掛けた時に、支持柱と４本の上部連結板右、上部連結板左と、下部連結板右、下部連結板左は台座が載っている台座柱と連結し、作業者が台座に座り全体重を台座柱で支え、引っ掛け部と支持柱で作業台に固定する構造で、台座の裏側を構成する台座柱受部に鼓型の台座開口部を設け、台座柱を差し込み中心軸の場所にねじで固定する構造とし、台座が左右に動くと台座開口部の鼓型の側面がストパーの役目を果たして、一定の角度で止められる構造を持つ、立ち仕事用引っかけ椅子。
【請求項２】
椅子の高さは、台座柱の底部に設けた支柱台と台座柱の間に設けたと高さ調節用棒ネジからなる請求項１記載の立ち仕事用引っかけ椅子。
【請求項３】
引っ掛け部を持ち上げると、支持柱と台座柱を閉じて一本の棒状になり、一本の棒状にすることで、コンパクトな収納形態の実現及び可搬性を実現する請求項１及び請求項２記載の立ち仕事用引っかけ椅子。
【発明の詳細な説明】
【技術分野】
【０００１】この発明は立ちながら座れる、立ち仕事用ひっかけ椅子に関するものである。
【背景技術】
【０００２】この種の椅子として、本出願人の提案に係る椅子がある（特許文献１）。股に挟む瓢箪型クッション腰掛けサドル面の半球状突起クッションによって骨盤を支え、回転自在キャスターはスプリングポストにより、体重がかかればスプリングが約１０ｍｍ縮んだところで台座が着地してキャスターは動かず安定し、体重を足に移して腰を浮かすと、キャスターが台座を押し上げて働きサドルを挟んだまま回転、移動自由である。【０００３】また、従来からの作業用イスで脚が３〜４本あり腰を掛ける椅子があるが、動線が大事な作業場で３〜４本の脚は場所をとり、座ったままでは膝の長さ分が作業場から遠ざかり、作業するためには立ち上がらなくてはならず、後ろに椅子があるので座るときに椅子を確認して座らなければ危ないという欠点があった。
【先行技術文献】
【特許文献】
【０００４】
【特許文献１】実開平５−７６３６５
【発明の概要】
【発明が解決しようとする課題】
【０００５】（特許文献１）にある椅子は、台座を股に挟んで座ると体重がかり台座が１０ｍｍ下がるとキャスターは動かず、反対に腰を浮かすとキャスターが動き、サドルを挟んだまま回転移動できるしくみになっているが、体重の少しの重みで椅子が作動し、両足の支えだけで椅子の方向が決まるため、身体の不自由な人、老人等のゆっくりした動作の人には身体を支えるものが他になく不安定であり、また上記椅子の低部には数個のキャスターつきのスプリングポストを台座が覆っているため椅子の安定感はあるが、椅子を折りたたむこと
が出来ないため場所をとる。【０００６】  従来からの作業用椅子は座ると、膝の長さだけ作業場所から上半身が遠ざかり、座ったまま作業するには難しいので立ち上がって作業するが、座る際に後ろに椅子があるため椅子を確認して座らなければ危なく、また椅子の脚が３〜４本あり、場所をとるという難点があった。
本発明は以上のような欠点をなくすために、なされたものである。
【課題を解決するための手段】
【０００７】  椅子を作業台５に引っ掛ける構造で、引っ掛け部１を支持柱４の先端に垂直に設けていて、かつ直角方向に曲がり作業台５に引っ掛けてあり、作業台５に身体を近づけて作業をする構造で、支持柱４の下部に作業台５の保護用に長方形板１０が９０度横に付き、身体が椅子から離れても椅子を自立させることが可能で、引っ掛け部１を作業台５に引っ掛けた時に、支持柱４と台座１３が載っている台座柱１２を４枚の連結板６，７，８，９で連結し、台座１３に座り、全体重を台座柱１２で支え、引っ掛け部１と支持柱４で作業台５に固定する構造で、台座１３の裏側を構成する台座柱受部１６に、鼓型の側面がストパーの役目を果たす台座開口部１７を設け、台座柱１２を台座受け部１６に差し込み中心軸１８をねじで固定することで、作業者が台座１３に座り台座１３ａの左方向に向くと、台座柱１２は台座柱１２ａの方向に動き、台座１３ｂの右方向を向くと、台座柱１２は台座柱１２ｂの方向にあるというように、台座１３を一定の角度で止める構造を持ち、椅子の高さは、台座柱１２の底部に設けた支柱台１５と台座柱１２の間に設けた高さ調節用棒ネジ１４とからなり、椅子をたたむ時は、引っ掛け部１を持ち上げると支持柱４と台座柱１２を閉じて一本の棒状にすることで、コンパクトな収納形態及び屋内外への可搬性を実現する。
本発明は以上の構成よりなる立ち仕事用引っかけ椅子である。
【発明の効果】
【０００８】  本発明においては、作業場所に引っ掛ける構造であり、作業面に前向きにまたいで座るので、作業場所と上半身との隙間が少なく、作業者が前のめりにならずに作業ができる。【０００９】  作業面に前向きにまたいで座り、台座がお尻から離れることがないので尻もちをつくこと等の危険がなく、左右方向に一定の角度で台座が動き、座っていても上半身の作業の範囲が広がる。【００１０】  引っ掛け部の付いている支持柱と台座の載っている台座柱は、連結板で連    結して全体重を台座柱で支える構造で、台座に座っても安定していて長時間の立ち仕事においても下半身の疲労が少ない。【００１１】  引っ掛け部を作業台に引っ掛けると、自動的に支持柱と台座柱が開き台座柱が床に着いて一脚となるため、動線が重要な作業場で場所をとらない。【００１２】  引っ掛け部を持ち上げると、支持柱と台座柱が閉じて一本の棒状になり、コンパクトな収納形態を実現する。
【図面の簡単な説明】
【図１】本発明の取り付け状態斜視図
【図２】本発明の折り畳んだ状態図
【図３】本発明の使用状態図
【図４】本発明の台座支持部取りつけの拡大図
【発明を実施するための形態】
【００１３】以下、本発明の形態について説明をする。
（イ）図１で示すように、支持柱４の先端に引っ掛け部１を取り付けて、ゴム板２を張り付けた台形板３を引っ掛け部１に固定する。
（ロ）支持柱４の下部に、長方形ゴム板１１を張り付けた長方形板１０は、使用時は作業台の扉に平行にして、しまう時は図２で示すように支持柱４と平行になるよう設けてある。
（ハ）図４で示すように、台座１３の裏面の台座柱受部１６の中央に、上下を鼓型にくり抜いた台座開口部１７を設ける。
（二）台座開口部１７に台座柱１２を差し込み、台座１３の中心から中心軸１８の場所にネジで固定し、台座１３は中心軸１８を支点に矢印のように左右に動くが、台座柱１２が台座開口部１７の鼓型の側面に当たると止まる構造である。
（ホ）図１で示すように、台座１３が台座１３ａの左方向にあるときは、図４で示すように台座柱１２は台座柱１２ａの方向にあり、台座１３が台座１３ｂの右方向にあるときは、台座柱１２ｂの方向にあるというように、台座１３と台座柱１２からなる構成である。
（ヘ）図１で示すように、支持柱４と台座柱１２の間には上部連結板右６、上部連結板左７と、下部連結板右８、下部連結板左９が連結していることで、引っかけ椅子がより安定する構造となっている。
（ト）椅子使用時の高さ調節は、台座柱１２と支柱台１５の間の高さ調節用棒ネジ１４を、支柱台１５をまわすことで構成している。
本発明の使用方法は
（チ）引っ掛け部１を作業台５に引っかけて、台座１３を手前に持って引っ張ると、一本の棒状になっていた支持柱４と台座柱１２が図１で示すように、上部連結部右６、上部連結部左７と下部連結部右８、下部連結部左９が広がり、作業台から作業するのに丁度良い位置に台座柱１２が床に固定される。
（リ）図３で示すように、支柱台１５を回し台座１３の高さ調節をし、台座１３にまたがって使用する。
（ヌ）身体の向きを変える時は台座１３にまたがったまま、上半身を向けたい方向にお尻を動かすと、台座１１が動き向きを変えて使用することができる。
（ル）折り畳んだ状態にすると、図２に示す通り、コンパクトな収納形態になり可搬性に優れているため屋内外での簡易的な椅子としての使用が可能になる。
【産業上の利用可能性】家庭用台所、洗面台、レストランや、給食施設のシンクに利用、また屋外にも持ち出しての簡易的な椅子として利用可。また、引っ掛け部分を代えることで、シンク以外での工場などの流れ作業の立ち仕事や、レジ等の立ち仕事に利用可。
【符号の説明】
【００１４】１    引っ掛け部
２    ゴム板
３    台形板
４    支持柱
５    作業台
６    上部連結板右
７    上部連結部左
８    下部連結板右、
９    下部連結部左
１０  長方形板
１１  長方形ゴム板
１２  台座柱
１２ａ  台座柱  （作業者が左を向いた状態）
１２ｂ  台座柱  （作業者が右を向いた状態）
１３  台座
１３ａ  台座    （作業者が左を向いた状態）
１３ｂ  台座    （作業者が右を向いた状態）
１４  高さ調節用棒ネジ
１５  支柱台
１６  台座柱受部
１７  台座開口部
１８  中心軸
【図１】
2019063456.tif 000003
【図２】
2019063456.tif 000004
【図３】
2019063456.tif 000005
【図４】
2019063456.tif 000006